(57)【要約】      （修正有）【課題】異なるネットワーク間にある端末間を通信可能とするシステムを提供する。【解決手段】広域ＩＰ網ｎｅｔ１に配してＳＩＰ機能を備えた中継サーバＳと、該中継サーバＳを介した発信端末Ｃ１と、該中継サーバＳを介した着信端末Ｃ２と、を備えた通信システム１であって、発信端末Ｃ１及び着信端末Ｃ２は前記広域ＩＰ網ｎｅｔ１を介して通信する第１のＩＰアドレスと、通信方式をＸＭＰＰとしてインターネット網内の短絡回線ＸＤを介して通信する第２のＩＰアドレスと、を備え、発信端末Ｃ１は着信端末Ｃ２と前記広域ＩＰ網ｎｅｔ１にて通信を確立した後に、前記短絡回線ＸＤに切り換えて通信した。【選択図】図３
2013038740.tif 000002
【特許請求の範囲】
【請求項１】
広域ＩＰ網に配してＳＩＰ機能を備えた中継サーバと、該中継サーバを介した発信端末と、該中継サーバを介した着信端末と、を備えた通信システムであって、
前記発信端末及び前記着信端末は前記広域ＩＰ網を介して通信する第１のＩＰアドレスと、通信方式をＸＭＰＰとしてインターネット網内の短絡回線を介して通信する第２のＩＰアドレスと、を備え、
前記発信端末は前記着信端末と前記広域ＩＰ網にて通信を確立した後に、前記短絡回線に切り換えて通信することを特徴とする通信システム。
【請求項２】
前記発信端末が前記短絡回線に切り換えた後に、前記広域ＩＰ網の通信を切断することを特徴とする請求項１に記載の通信システム。
【請求項３】
前記広域ＩＰ網は制御回線と、データ回線と、からなり、
前記発信端末は前記制御回線ではＳＩＰ制御データを送信し、前記データ回線ではＸＭＰＰ制御データを送信することを特徴とする請求項１又は２に記載の通信システム。
【請求項４】
前記ＸＭＰＰ制御データがＨＴＭＬファイルから成ることを特徴とする請求項３に記載の通信システム。
【請求項５】
前記発信端末はＳＩＰ  ＵＲＩを用いて前記着信端末を特定することを特徴とする請求項１〜４のいずれかに記載の通信システム。
【請求項６】
広域ＩＰ網内に配してＳＩＰ機能を備えた中継サーバと、該中継サーバを介して発信する発信端末と、該中継サーバを介して着信する着信端末と、を備えた通信方法であって、
前記発信端末及び前記着信端末は前記広域ＩＰ網を介して通信する第１のＩＰアドレスと、通信方式をＸＭＰＰとしてインターネット網内の短絡回線を介して通信する第２のＩＰアドレスと、を備え、
前記発信端末は前記着信端末との通信を前記広域ＩＰ網にて確立するステップと、
前記短絡回線に切り換えて通信するステップと、
を備えたことを特徴とする通信方法。
【請求項７】
前記発信端末がインターネット網に切り換えた後に、前記広域ＩＰ網の通信を切断するステップを備えたことを特徴とする請求項６に記載の通信方法。
【発明の詳細な説明】
【技術分野】
【０００１】
本発明は通信システム及び通信方法に関する。
【背景技術】
【０００２】
従来から異なるネットワークを介して情報端末装置間にて情報交換が行われている。例えば、インターネットを利用してリアルタイムにメッセージをＸＭＰＰプロトコルを用いて交換する通信システムがある（例えば特許文献１）。
【０００３】
特許文献１ではネットワークＡ内の情報端末装置とネットワークＢ内の情報端末装置とがインターネット網を介して情報交換を行っている。
【先行技術文献】
【特許文献】
【０００４】
【特許文献１】特開２００９−２０８４３０号公報
【発明の概要】
【発明が解決しようとする課題】
【０００５】
しかしながら、上記従来の通信システムによると、ネットワークＡ内の情報端末装置とネットワークＢ内の情報端末装置とは違うプライベートアドレスのネットワークに属する。このため、ネットワークＡ内の情報端末装置とネットワークＢ内の情報端末装置とが接続するためには、お互いの情報端末装置のアドレスを知っているＸＭＰＰサーバが必要となる。従って、従来の通信システムを構築するためにはシステム構成が複雑になるという問題があった。
【０００６】
本発明はＸＭＰＰサーバを必要としないで、異なるネットワーク間にある端末間を通信可能とするシステムを簡単に構築することを目的とする。
【課題を解決するための手段】
【０００７】
上記課題を解決するために本発明の通信システムは、広域ＩＰ網に配してＳＩＰ機能を備えた中継サーバと、該中継サーバを介した発信端末と、該中継サーバを介した着信端末と、を備えた通信システムであって、前記発信端末及び前記着信端末は前記広域ＩＰ網を介して通信する第１のＩＰアドレスと、通信方式をＸＭＰＰとしてインターネット網内の短絡回線を介して通信する第２のＩＰアドレスと、を備え、前記発信端末は前記着信端末と前記広域ＩＰ網にて通信を確立した後に、前記短絡回線に切り換えて通信することを特徴とする。
【０００８】
この構成によると、ＳＩＰ（Session Initiation Protocol）機能を備えた中継サーバが広域ＩＰ網に配されている。発信端末は中継サーバを介して着信端末へと第１のＩＰアドレスを用いて通信する。広域ＩＰ網の通信が確立すると、インターネット網内の短絡回線を介した通信を第２のＩＰアドレスを用いて通信する。通信方式はＸＭＰＰ（eXtensible Messaging and Presence Protocol）である。
【０００９】
また、本発明は、上記構成の通信システムにおいて、前記発信端末が前記短絡回線に切り換えた後に、前記広域ＩＰ網の通信を切断することを特徴とする。この構成によると、発信端末が短絡回線に切り換えた後に、広域ＩＰ網の通信を切断する。そうすると、発信端末と着信端末との間の通信は短絡回線で行われる。
【００１０】
また、本発明は、上記構成の通信システムにおいて、前記広域ＩＰ網は制御回線と、データ回線と、からなり、前記発信端末は前記制御回線ではＳＩＰ制御データを送信し、前記データ回線ではＸＭＰＰ制御データを送信することを特徴とする。
【００１１】
この構成によると、広域ＩＰ網は制御回線と、データ回線と、からなる。制御回線ではＳＩＰ制御データを送信し、データ回線ではＸＭＰＰ制御データを送信する。このように発信端末は回線毎に送信するデータを使い分けている。
【００１２】
また、本発明は、上記構成の通信システムにおいて、前記ＸＭＰＰ制御データがＨＴＭＬ（HyperText Markup Language）ファイルから成ることを特徴とする。
【００１３】
また、本発明は、上記構成の通信システムにおいて、発信端末はＳＩＰ  ＵＲＩ（Uniform Resource Identifier）を用いて着信端末を特定することを特徴とする。この構成によると、発信端末は電話番号などに関連付けられたＳＩＰ  ＵＲＩを用いて着信端末を特定する。
【００１４】
また、上記課題を解決するために本発明の通信方法は、広域ＩＰ網内に配してＳＩＰ機能を備えた中継サーバと、該中継サーバを介して発信する発信端末と、該中継サーバを介して着信する着信端末と、を備えた通信方法であって、前記発信端末及び前記着信端末は前記広域ＩＰ網を介して通信する第１のＩＰアドレスと、通信方式をＸＭＰＰとしてインターネット網内の短絡回線を介して通信する第２のＩＰアドレスと、を備え、前記発信端末は前記着信端末との通信を前記広域ＩＰ網にて確立するステップと、前記短絡回線に切り換えて通信するステップと、を備えたことを特徴とする。
【００１５】
この構成によると、ＳＩＰ（Session Initiation Protocol）機能を備えた中継サーバが広域ＩＰ網に配されている。発信端末は中継サーバを介して着信端末へと第１のＩＰアドレスを用いて通信する。広域ＩＰ網の通信が確立した後、インターネット網内の短絡回線を介した通信を第２のＩＰアドレスを用いて通信する。通信方式をＸＭＰＰである。
【００１６】
また、本発明は、上記構成の通信方法において、前記発信端末がインターネット網に切り換えた後に、前記広域ＩＰ網の通信を切断するステップを備えたことを特徴とする。この構成によると、発信端末が短絡回線に切り換えた後に、広域ＩＰ網の通信を切断する。そうすると、発信端末と着信端末との間の通信は短絡回線で行われる。
【発明の効果】
【００１７】
本発明によると、ＸＭＰＰサーバを必要としないで、異なるネットワーク間にある端末間を通信可能とするシステムを簡単に構築できる。
【図面の簡単な説明】
【００１８】
【図１】本発明の第１実施形態の通信システムの全体構成を示す図
【図２】本発明の第１実施形態の発信端末の構成を示すブロック図
【図３】本発明の第１実施形態の発信端末から着信端末への接続動作を示すタイミングチャート図
【図４】本発明の第１実施形態のＤＮＳ設定情報を示す図
【図５】本発明の第１実施形態のＤＮＳ設定情報を示す図
【図６】本発明の第１実施形態のＸＭＰＰ制御データを示す図
【図７】本発明の第１実施形態のＸＭＰＰ制御データを示す図
【図８】本発明の第１実施形態のＸＭＰＰ制御データを示す図
【図９】本発明の第１実施形態のＸＭＰＰ制御データを示す図
【図１０】本発明の第１実施形態のＸＭＰＰ制御データを示す図
【図１１】本発明の第１実施形態のＤＮＳ設定情報を示す図
【図１２】本発明の第１実施形態のＤＮＳ設定情報を示す図
【図１３】本発明の第１実施形態のＸＭＰＰ制御データを示す図
【図１４】本発明の第１実施形態のメッセージ内容を示す図
【発明を実施するための形態】
【００１９】
本発明の実施形態を図面を参照して説明する。図１は本発明の実施形態の通信システム１を説明するための図である。図１に示すように所定の通信事業者が保有する広域ネットワークとしての広域ＩＰ網ｎｅｔ1が設けられている。また広域ＩＰ網ｎｅｔ1を包括するインターネット網ｎｅｔ２が設けられている。広域ＩＰ網ｎｅｔ１はＳＩＰ制御データを送受信する制御回線ＳＣと、ＸＭＰＰ制御データなどを送受信するデータ回線ＳＤと、からなる。インターネット網ｎｅｔ２内には後述する所定の手続きを経て開設される短絡回線ＸＤが設けられている。
【００２０】
広域ＩＰ網ｎｅｔ1には中継サーバＳと発信端末Ｃ１と着信端末Ｃ２とが配される。中継サーバＳはＩＰアドレスとしてＩＰｓｓを備える。
【００２１】
発信端末Ｃ１はＩＰアドレスとして広域ＩＰ網ｎｅｔ1で使用されるＩＰｕａｃと短絡回線ＸＤで使用されるＩＰｃ１とを備える。またＩＰｕａｃを用いた通信では制御用のポート番号（５０６０番）とデータ通信用のポート番号（ＰＯＲＴｕａｃ（図３参照））とが用いられる。
【００２２】
着信端末Ｃ２はＩＰアドレスとして広域ＩＰ網ｎｅｔ1で使用されるＩＰｕａｓと短絡回線ＸＤで使用されるＩＰｃ２とを備える。またＩＰｕａｓでは制御用のポート番号（５０６０番）とデータ通信用のポート番号（ＰＯＲＴｕａｓ（図３参照））とが用いられる。
【００２３】
発信端末Ｃ１は中継サーバＳを介し、発信端末Ｃ１とは異なるネットワークに配される着信端末Ｃ２と通信を行う。また、後述するように発信端末Ｃ１は短絡回線ＸＤを開設すると、短絡回線ＸＤを介して着信端末Ｃ２と直接通信することが可能である。
【００２４】
図２は発信端末Ｃ１構成を示すブロック図である。なお、着信端末Ｃ２も略同一の構成である。発信端末Ｃ１は各部を制御する制御部２２を備えている。制御部２２には通信部２１と、表示部２３と、記憶部２４と、入力部２５と、が接続されている。表示部２３はマルチメディアなどの所定のデータが表示される。入力部２５はユーザによって操作入力され、発信端末Ｃ１に与えられる様々な指示を受け付ける。記憶部２４はＲＯＭやＲＡＭなどによって構成され、所定のプログラムやユーザの入力操作によって入力されるデータなどを記憶する。通信部２１は有線又は無線で通信可能な構成であって、ＳＩＰやＸＭＰＰに規定されたプロトコル通信を行うことができる。
【００２５】
ここで、ＳＩＰとはSession Initiation Protocol（セッション開始プロトコル）の略である。ＴＣＰ／ＩＰネットワーク上で様々なデータ、音声、映像などの通信を行うために、端末間の通信の開始や切断を行う。このために呼制御プロトコルと呼ばれている。ＴＣＰ／ＩＰ上での動作を基本として標準化されているため、インターネットで利用されるプロトコルとの親和性が高く、非常にシンプルなプロトコルである。
【００２６】
また、ＸＭＰＰ（eXtensible Messaging and Presence Protocol）とはＩＥＴＦ（Internet Engineering Task Force）のＸＭＰＰワーキンググループから独立したＸＳＦ（XMPP Standards Foundation）により規格・標準化が進められているＸＭＬ（eXtensible Markup Language）ベースのプロトコルである。ＸＭＰＰはインスタントメッセージ、プレゼンス（「相手が今どういう状態にあるのか」）、多人数チャット、音声またはテレビ電話、協調作業、コンテンツ・シンジケーション、ＸＭＬデータの一般化ルーティングなどのアプリケーションを動的に制御する。これによりインターネットなどの通信システムにおいてリアルタイムなコミュニケーションを行う。また、それぞれの目的に応じて規格化された複数の拡張プロトコル（ＸＥＰ：XMPP Extension Protocol）からなっている。
【００２７】
通信部２１は第１のＩＰアドレス２１Ａと、第２のＩＰアドレス２１Ｂと、を有している。第１のＩＰアドレス２１Ａは広域ＩＰ網ｎｅｔ１内の通信で用いられ、第２のＩＰアドレス２１Ｂはインターネット網ｎｅｔ２内の通信で用いられる。第１のＩＰアドレス２１ＡはＩＰｕａｃを構成し、第２のＩＰアドレス２１ＢはＩＰｃ１を構成する。なお、着信端末Ｃ２の場合には第１のＩＰアドレス２１ＡはＩＰｕａｓを構成し、第２のＩＰアドレス２１ＢはＩＰｃ２を構成する。
【００２８】
制御部２２はＸＭＰＰクライアント制御部２２１と、ＳＩＰ制御部２２２と、を有している。
【００２９】
ＸＭＰＰクライアント制御部２２１ではＸＭＰＰに規定された様々な応用プロトコルを利用することができる。本実施形態ではｘｅｐ−０１６６：Ｊｉｎｇｌｅを利用する。ｘｅｐ−０１６６：Ｊｉｎｇｌｅは発信端末Ｃ１と着信端末Ｃ２との間にデータを送受信する通信経路を確立する機能を規定したプロトコルである。
【００３０】
ＳＩＰ制御部２２２は着信端末Ｃ２へ通信するためにＳＩＰ制御データを作成するとともに、着信端末Ｃ２から受信したＳＩＰ制御データを解読する。そして、ＳＩＰ制御データに沿って呼接続処理などの制御を行う。例えば通話中は音声データをエンコードし、そのエンコードしたデータをRTP(Real-time Transport Protocol)パケットによって送信する。
【００３１】
次に図３のタイミングチャートを用いて、発信端末Ｃ１から着信端末Ｃ２へ短絡回線ＸＤを開設する動作について説明する。
【００３２】
ステップＳ１では発信端末Ｃ１は接続したい着信端末Ｃ２に対してＳＩＰ  ＵＲＩ（例えば電話番号）を用いて接続を要求する。この場合ＩＮＶＩＴＥリクエストを中継サーバＳに対して送信する。
【００３３】
ステップＳ２では中継サーバＳはＳＩＰ  ＵＲＩから着信端末Ｃ２のＩＰアドレスを特定し、着信端末Ｃ２へＩＮＶＩＴＥリクエストを送信する。
【００３４】
ステップＳ３では中継サーバＳは発信端末Ｃ１に暫定的に１００  Ｔｒｙｉｎｇレスポンスを返送し、着信端末Ｃ２に接続しようとしていることを通知する。
【００３５】
ステップＳ４ではＩＮＶＩＴＥリクエストを受信した着信端末Ｃ２は受信処理を開始する。具体的には呼び出し中であることを示す１８０  Ｒｉｎｇｉｎｇレスポンスを中継サーバＳに返送する。
【００３６】
ステップＳ５では中継サーバＳは着信端末Ｃ２から返送された１８０  Ｒｉｎｇｉｎｇレスポンスを中継し、発信端末Ｃ１に送信する。
【００３７】
ステップＳ６では着信端末Ｃ２は２００  ＯＫレスポンスを中継サーバＳへ送信する。ステップＳ７では中継サーバＳは発信端末Ｃ１に２００  ＯＫレスポンスを送信する。
【００３８】
ステップＳ８では発信端末Ｃ１は２００  ＯＫレスポンスを受信したことを示すＡＣＫリクエストを着信端末Ｃ２に対して送信する。
【００３９】
ＡＣＫリクエストを着信端末Ｃ２が受信することにより、発信端末Ｃ１と着信端末Ｃ２との間の通信が確立する。
【００４０】
上記ステップＳ１〜Ｓ８までは制御回線ＳＣを介してＳＩＰ制御データを用いた通信を行う。
【００４１】
ステップＳ９ではデータ回線ＳＤを用いてＳＩＰ／ＳＤＰ（Session Description Protocol）のデータの送受信が開始される。図４のＤＮＳ設定情報ｄ１を発信端末Ｃ１は送信し、図５のＤＮＳ設定情報ｄ２を発信端末Ｃ２は送信する。これらの設定情報を送受信することにより、互いの端末はそれぞれのサービス情報を発見することができる。そして図６に示すような転送経路設定情報ｅ１を用いて、ＸＭＰＰ通信を初期化する。なお、ＸＭＰＰ制御データは転送経路設定情報ｅ１を構成する。
【００４２】
次のステップからは発信端末Ｃ１と着信端末Ｃ２との間に短絡回線ＸＤが開設される手順について詳細に説明する。
【００４３】
ここで、発信端末Ｃ１は短絡回線ＸＤの開設を提案する側、すなわち、Ｊｉｎｇｌｅのイニシエータとなる。また、着信端末Ｃ２は短絡回線ＸＤの開設の提案に対して同意又は拒否する側、すなわち、Ｊｉｎｇｌｅのレスポンダとなる。
【００４４】
ステップＳ１０では発信端末Ｃ１は着信端末Ｃ２に対してＪｉｎｇｌｅ回線を開設するように提案する。この際、図７に示すような転送経路設定情報ｍ１をＸＭＰＰクライアント制御部２２１において作成し、着信端末Ｃ２へ送信する。転送経路設定情報ｍ１では<iq>タグには送信元である発信端末Ｃ１のＪＩＤ（"Jabber ID"）、転送経路設定情報ｍ１の識別子（"12345"）、送信先である着信端末Ｃ２のＪＩＤ、転送経路設定情報ｍ１のtype属性（"set"）などが記述されている。また、短絡回線ＸＤで使用するＩＰアドレスやポート番号の設定は<transport <candidate>>のタグで行う。ＸＭＰＰ制御データは転送経路設定情報ｍ１を構成する。
【００４５】
ステップＳ１１では着信端末Ｃ２のＸＭＰＰクライアント制御部２２１’はその提案を確認したことを示す転送経路設定情報ｍ２（図８参照）を発信端末Ｃ１に送信する。
【００４６】
図８に示すように転送経路設定情報ｍ２では<iq>タグに送信元である着信端末Ｃ２のＪＩＤ（“Jabber ID”）、着信端末Ｃ２が確認した転送経路設定情報ｍ１の識別子（"12345"）、送信先である発信端末Ｃ１のＪＩＤ、転送経路設定情報ｍ２のtype属性（"result"）が記述されている。
【００４７】
ステップＳ１２では発信端末Ｃ１と着信端末Ｃ２との間で、短絡回線ＸＤを開設するための設定内容についての交渉（Ｊｉｎｇｌｅ回線ネゴシエーション）が行われる。これにより、端末間での通信可能なトランスポートの設定（例えば、ＩＰアドレスセットやポート番号）などが決定される。
【００４８】
ステップＳ１３では着信端末Ｃ２のＸＭＰＰクライアント制御部２２１’は短絡回線ＸＤの設定の提案に同意する旨を示す転送経路設定情報ｍ３（図９参照）を発信端末Ｃ１に送信する。
【００４９】
ステップＳ１４では発信端末Ｃ１のＸＭＰＰクライアント制御部２２１は受け取った転送経路設定情報ｍ３を確認する転送経路設定情報ｍ４（図１０参照）を着信端末Ｃ２に送信する。
【００５０】
ステップＳ１０〜Ｓ１４までのＸＭＰＰ制御データ（転送経路設定情報ｍ１〜ｍ４など）の通信はデータ回線ＳＤを用いて行う。
【００５１】
ステップＳ１〜１４までの通信は広域ＩＰ網ｎｅｔ１間の通信である。また。この通信では発信端末Ｃ１の第１のＩＰアドレス２１Ａ（ＩＰｕａｃ）と、着信端末Ｃ２の第１のＩＰアドレス２１Ａ’（ＩＰｕａｓ）と、が用いられる。
【００５２】
上記のような処理を経て、ステップＳ１５では発信端末Ｃ１と着信端末Ｃ２との間で直接通信する短絡回線ＸＤが開設される。短絡回線ＸＤの通信では発信端末Ｃ１の第２のＩＰアドレス２１Ｂ（ＩＰｃ１）と、着信端末Ｃ２の第２のＩＰアドレス２１Ｂ’（ＩＰｃ２）と、が用いられる。
【００５３】
そして、図１１のＤＮＳ設定情報ｄ３を発信端末Ｃ１は送信し、図１２のＤＮＳ設定情報ｄ４を発信端末Ｃ２は送信する。これらの設定情報を送受信することにより、互いの端末のサービス情報を発見することができる。その後は図１３に示すような転送経路設定情報ｅ２を用いて、ＸＭＰＰ通信を初期化する。
【００５４】
ステップＳ１６では発信端末Ｃ１から着信端末Ｃ２にメソッド  ＢＹＥが送信される。ステップＳ１７ではメソッド  ＢＹＥに対する２００  ＯＫレスポンスが着信端末Ｃ２から発信端末Ｃ１に返送される。これにより発信端末Ｃ１と着信端末Ｃ２との間の広域ＩＰ網ｎｅｔ１を介した通信が終了する。
【００５５】
このため、ステップＳ１８では中継サーバＳを介さない通信が実行される。そして例えば、図１４に示すようなメッセージｆ１が送受信される。この通信ではサーバレス通信となり、ＸＭＰＰサーバは必要ではない。即ち、発信端末Ｃ１と着信端末Ｃ２とが直接短絡回線ＸＤを介してやり取りが行われる。短絡回線ＸＤはインターネット網ｎｅｔ２内に設けられており、インターネット上にある発信端末Ｃ１と着信端末Ｃ２とが直接データのやりとりが可能となる。
【００５６】
以上のように本実施形態によると、広域ＩＰ網ｎｅｔ１に配してＳＩＰ機能を備えた中継サーバＳと、該中継サーバＳを介した発信端末Ｃ１と、該中継サーバＳを介した着信端末Ｃ２と、を備えた通信システム１であって、発信端末Ｃ１及び着信端末Ｃ２は前記広域ＩＰ網ｎｅｔ１を介して通信する第１のＩＰアドレス２１Ａと、通信方式をＸＭＰＰとしてインターネット網内の短絡回線ＸＤを介して通信する第２のＩＰアドレス２１Ｂと、を備え、発信端末Ｃ１は着信端末Ｃ２と前記広域ＩＰ網ｎｅｔ１にて通信を確立した後に、前記短絡回線ＸＤに切り換えて通信する。
【００５７】
このため、所定の業者が保有する既存の中継サーバＳを用いることで、異なるネットワーク間にある端末間を通信可能とするシステムを簡単に構築できる。また、異なるネットワーク間にある発信端末Ｃ１と着信端末Ｃ２との間に複数の回線を設け、端末が回線を選択可能とすることで、発信端末Ｃ１と着信端末Ｃ２との間の通信の信頼性や柔軟性を向上できる通信システムを提供できる。
【００５８】
さらにまた、一般的には異なるネットワーク間にある端末間はマルチキャストＤＮＳを利用できない規定となっているために、通信したい相手の端末を見つけること困難である。しかしながら、本実施例のように既存の中継サーバＳを用いることで、異なるネットワーク間にある端末間を容易に見つけることができる。
【００５９】
また、発信端末Ｃ１が短絡回線ＸＤに切り換えた後に、広域ＩＰ網ｎｅｔ１の通信を切断するため、使用しない回線を切断することで通信コストの低減に貢献できる。
【００６０】
また、広域ＩＰ網ｎｅｔ１は制御回線ＳＣと、データ回線ＳＤと、からなり、発信端末Ｃ１は制御回線ＳＣではＳＩＰ制御データを送信し、データ回線ＳＤではＸＭＰＰ制御データを送信する。このように回線によって送信するデータを使い分けることで、データ転送の効率化が図れる。
【００６１】
また、転送経路設定情報ｍ１などのＸＭＰＰ制御データがＨＴＭＬファイルから成る。このため、柔軟かつ容易にＸＭＰＰ制御データの修正が可能である。
【００６２】
また、発信端末Ｃ１はＳＩＰ  ＵＲＩ（電話番号など）を用いて着信端末Ｃ２を特定する。電話番号によって着信端末Ｃ２を特定できるので、ＩＰアドレスやドメインよりも簡易に特定することができる。
【００６３】
（第２の実施形態）
第１実施形態ではステップＳ１５〜１６において、広域ＩＰ網ｎｅｔ１の通信を切断したが、通信を継続してもよい。たとえば、広域ＩＰ網ｎｅｔ１では帯域保証をしていれば重要なデータを優先的に広域ＩＰ網ｎｅｔ１を用いて送信する。回線を使用目的によって選択することで、ネットワーク間の通信の信頼性や柔軟性を向上できる。
【００６４】
また、発信端末Ｃ１は第１のＩＰアドレス２１Ａと第２のＩＰアドレス２１Ｂとを異なるような構成であったが、同じ構成であってもよい。この場合、通信したい相手先の経路（ルーティング情報）をプロトコルに応じて変更すればよい。
【符号の説明】
【００６５】
１                通信システム
６                ストリーム仕様情報
６０ａ〜６０ｄ    ストリーム属性情報
７                ｈｔｍｌ表示仕様情報
７０ａ〜７０ｄ    表示属性情報
２１              通信部
２１Ａ            第１のＩＰアドレス
２１Ｂ            第２のＩＰアドレス
２２              制御部
２２１            ＸＭＰＰクライアント制御部
２２２            クライアント制御部
２３              表示部
２４              記憶部
２５              入力部
Ｃ１              発信端末
Ｃ２              着信端末
ｍ１〜ｍ４        転送経路設定情報
Ｓ                中継サーバ
ＳＣ              制御回線
ＳＤ              データ回線
ＸＤ              短絡回線
【図１】
2013038740.tif 000003
【図２】
2013038740.tif 000004
【図３】
2013038740.tif 000005
【図４】
2013038740.tif 000006
【図５】
2013038740.tif 000007
【図６】
2013038740.tif 000008
【図７】
2013038740.tif 000009
【図８】
2013038740.tif 000010
【図９】
2013038740.tif 000011
【図１０】
2013038740.tif 000012
【図１１】
2013038740.tif 000013
【図１２】
2013038740.tif 000014
【図１３】
2013038740.tif 000015
【図１４】
2013038740.tif 000016